(57)【要約】【課題】放送に関する制御信号を専用の通信回線を用いることなく送受信することができる伝送システム及び伝送方法を提供することである。【解決手段】実施形態の伝送システムは送信装置と受信装置とを持つ。送信装置は第１の制御信号処理部を持つ。第１の制御信号処理部は、第１ＴＳ（Transport Stream）信号と、前記第１ＴＳ信号と同じ信号であって前記第１ＴＳ信号とは別系統で入力される第２ＴＳ信号と、制御信号とを入力し、前記第１ＴＳ信号及び前記第２ＴＳ信号のそれぞれのヘッダ部に含まれる所定の信号を前記制御信号に置き換えて出力する。受信装置は、第２の制御信号処理部を持つ。第２の制御信号処理部は、第１ＴＳ信号及び第２ＴＳ信号の受信信号を復調して得られる第３ＴＳ信号及び第４ＴＳ信号のヘッダ部から前記制御信号を取得するとともに、前記第３ＴＳ信号及び前記第４ＴＳ信号に含まれる前記制御信号を前記所定の信号に置き換えて出力する。【選択図】図１
2020077935.tif 000002
【特許請求の範囲】
【請求項１】
第１ＴＳ（Transport Stream）信号と、前記第１ＴＳ信号と同じ信号であって前記第１ＴＳ信号とは別系統で入力される第２ＴＳ信号と、制御信号とを入力し、前記第１ＴＳ信号及び前記第２ＴＳ信号のそれぞれのヘッダ部に含まれる所定の信号を前記制御信号に置き換えて出力する第１の制御信号処理部と、
前記制御信号を含む第１ＴＳ信号及び第２ＴＳ信号をそれぞれ別系統で変調する変調部と、
前記変調部によって変調された第１ＴＳ信号及び第２ＴＳ信号のいずれか一方を選択する切替部と、
前記切替部によって選択された第１ＴＳ信号又は第２ＴＳ信号を無線送信する送信部と、
を備える送信装置と、
前記送信装置が無線送信したＴＳ信号を受信し、受信した前記ＴＳ信号を第３ＴＳ信号と第４ＴＳ信号との２系統に分配して出力する受信部と、
前記第３ＴＳ信号及び前記第４ＴＳ信号をそれぞれ別系統で復調する復調部と、
前記復調部によって復調された第３ＴＳ信号及び第４ＴＳ信号のヘッダ部から前記制御信号を取得するとともに、前記第３ＴＳ信号及び前記第４ＴＳ信号に含まれる前記制御信号を前記所定の信号に置き換えて出力する第２の制御信号処理部と、
を備える受信装置と、
を備える伝送システム。
【請求項２】
前記第１の制御信号処理部は、前記第１ＴＳ信号及び前記第２ＴＳ信号をそれぞれ伝送する第１ＴＳパケット及び第２ＴＳパケットの先頭１バイト目に格納される同期信号を前記制御信号に置き換え、
前記第２の制御信号処理部は、前記第３ＴＳ信号及び前記第４ＴＳ信号をそれぞれ伝送する第３ＴＳパケット及び第４ＴＳパケットの先頭１バイト目に格納された前記制御信号を取得するとともに、前記同期信号に置き換える、
請求項１に記載の伝送システム。
【請求項３】
第１ＴＳ（Transport Stream）信号と、前記第１ＴＳ信号と同じ信号であって前記第１ＴＳ信号とは別系統で入力される第２ＴＳ信号と、制御信号とを入力し、前記第１ＴＳ信号及び前記第２ＴＳ信号のそれぞれのペイロード部に含まれる所定の信号を前記制御信号に置き換えて出力する第１の制御信号処理部と、
前記制御信号を含む第１ＴＳ信号及び第２ＴＳ信号をそれぞれ別系統で変調する変調部と、
前記変調部によって変調された第１ＴＳ信号及び第２ＴＳ信号のいずれか一方を選択する切替部と、
前記切替部によって選択された第１ＴＳ信号又は第２ＴＳ信号を無線送信する送信部と、
を備える送信装置と、
前記送信装置が無線送信したＴＳ信号を受信し、受信した前記ＴＳ信号を第３ＴＳ信号と第４ＴＳ信号との２系統に分配して出力する受信部と、
前記第３ＴＳ信号及び前記第４ＴＳ信号をそれぞれ別系統で復調する復調部と、
前記復調部によって復調された第３ＴＳ信号及び第４ＴＳ信号のペイロード部から前記制御信号を取得するとともに、前記第３ＴＳ信号及び前記第４ＴＳ信号に含まれる前記制御信号を前記所定の信号に置き換えて出力する第２の制御信号処理部と、
を備える受信装置と、
を備える伝送システム。
【請求項４】
前記第１の制御信号処理部は、前記第１ＴＳ信号及び前記第２ＴＳ信号をそれぞれ伝送する第１ＴＳパケット及び第２ＴＳパケットがＮｕｌｌパケットである場合に、前記第１ＴＳパケット及び第２ＴＳパケットのペイロード部に含まれる信号を前記制御信号に置き換え、
前記第２の制御信号処理部は、前記第３ＴＳ信号及び前記第４ＴＳ信号をそれぞれ伝送する第３ＴＳパケット及び第４ＴＳパケットがＮｕｌｌパケットである場合、前記第３ＴＳパケット及び前記第４ＴＳパケットのペイロード部に含まれる前記制御信号を取得するとともに、所定の信号に置き換える、
請求項３に記載の伝送システム。
【請求項５】
ＴＳ信号の変調において前記ＴＳ信号に多重化されるＳＣ（Service Channel）信号と、制御信号とを入力し、前記ＳＣ信号に前記制御信号を多重化して出力する第１の制御信号処理部と、
第１ＴＳ（Transport Stream）信号と、前記第１ＴＳ信号と同じ信号であって前記第１ＴＳ信号とは別系統で入力される第２ＴＳ信号と、前記第１の制御信号処理部が出力した前記ＳＣ信号とを入力し、前記第１ＴＳ信号及び前記第２ＴＳ信号のそれぞれに前記ＳＣ信号を多重化し、前記ＳＣ信号が多重化された前記第１ＴＳ信号及び前記第２ＴＳ信号をそれぞれ別系統で変調する変調部と、
前記変調部によって変調された第１ＴＳ信号及び第２ＴＳ信号のいずれか一方を選択する切替部と、
前記切替部によって選択された第１ＴＳ信号又は第２ＴＳ信号を無線送信する送信部と、
を備える送信装置と、
前記送信装置が無線送信したＴＳ信号を受信し、受信した前記ＴＳ信号を第３ＴＳ信号と第４ＴＳ信号との２系統に分配して出力する受信部と、
前記第３ＴＳ信号及び前記第４ＴＳ信号をそれぞれ別系統で復調する復調部と、
前記復調部によって復調された第３ＴＳ信号及び第４ＴＳ信号に含まれるＳＣ信号から前記制御信号を分離する第２の制御信号処理部と、
を備える受信装置と、
を備える伝送システム。
【請求項６】
第１ＴＳ（Transport Stream）信号と、前記第１ＴＳ信号と同じ信号であって前記第１ＴＳ信号とは別系統で入力される第２ＴＳ信号と、制御信号とを入力し、前記第１ＴＳ信号及び前記第２ＴＳ信号のそれぞれのヘッダ部に含まれる所定の信号を前記制御信号に置き換えて出力する第１の制御信号処理ステップと、
前記制御信号を含む第１ＴＳ信号及び第２ＴＳ信号をそれぞれ別系統で変調する変調ステップと、
前記変調ステップにおいて変調された第１ＴＳ信号及び第２ＴＳ信号のいずれか一方を選択する切替ステップと、
前記切替ステップにおいて選択された第１ＴＳ信号又は第２ＴＳ信号を無線送信する送信ステップと、
前記送信ステップにおいて無線送信されたＴＳ信号を受信し、受信した前記ＴＳ信号を第３ＴＳ信号と第４ＴＳ信号との２系統に分配して出力する受信ステップと、
前記第３ＴＳ信号及び前記第４ＴＳ信号をそれぞれ別系統で復調する復調ステップと、
前記復調ステップにおいて復調された第３ＴＳ信号及び第４ＴＳ信号のヘッダ部から前記制御信号を取得するとともに、前記第３ＴＳ信号及び前記第４ＴＳ信号に含まれる前記制御信号を前記所定の信号に置き換えて出力する第２の制御信号処理ステップと、
を有する伝送方法。
【請求項７】
第１ＴＳ（Transport Stream）信号と、前記第１ＴＳ信号と同じ信号であって前記第１ＴＳ信号とは別系統で入力される第２ＴＳ信号と、制御信号とを入力し、前記第１ＴＳ信号及び前記第２ＴＳ信号のそれぞれのペイロード部に含まれる所定の信号を前記制御信号に置き換えて出力する第１の制御信号処理ステップと、
前記制御信号を含む第１ＴＳ信号及び第２ＴＳ信号をそれぞれ別系統で変調する変調ステップと、
前記変調ステップにおいて変調された第１ＴＳ信号及び第２ＴＳ信号のいずれか一方を選択する切替ステップと、
前記切替ステップにおいて選択された第１ＴＳ信号又は第２ＴＳ信号を無線送信する送信ステップと、
前記送信ステップにおいて無線送信されたＴＳ信号を受信し、受信した前記ＴＳ信号を第３ＴＳ信号と第４ＴＳ信号との２系統に分配して出力する受信ステップと、
前記第３ＴＳ信号及び前記第４ＴＳ信号をそれぞれ別系統で復調する復調ステップと、
前記復調ステップにおいて復調された第３ＴＳ信号及び第４ＴＳ信号のペイロード部から前記制御信号を取得するとともに、前記第３ＴＳ信号及び前記第４ＴＳ信号に含まれる前記制御信号を前記所定の信号に置き換えて出力する第２の制御信号処理ステップと、
を有する伝送方法。
【請求項８】
ＴＳ信号の変調において前記ＴＳ信号に多重化されるＳＣ（Service Channel）信号と、制御信号とを入力し、前記ＳＣ信号に前記制御信号を多重化して出力する第１の制御信号処理ステップと、
第１ＴＳ（Transport Stream）信号と、前記第１ＴＳ信号と同じ信号であって前記第１ＴＳ信号とは別系統で入力される第２ＴＳ信号と、前記第１の制御信号処理ステップにおいて出力された前記ＳＣ信号とを入力し、前記第１ＴＳ信号及び前記第２ＴＳ信号のそれぞれに前記ＳＣ信号を多重化し、前記ＳＣ信号が多重化された前記第１ＴＳ信号及び前記第２ＴＳ信号をそれぞれ別系統で変調する変調ステップと、
前記変調ステップにおいて変調された第１ＴＳ信号及び第２ＴＳ信号のいずれか一方を選択する切替ステップと、
前記切替ステップにおいて選択された第１ＴＳ信号又は第２ＴＳ信号を無線送信する送信ステップと、
前記送信ステップにおいて無線送信されたＴＳ信号を受信し、受信した前記ＴＳ信号を第３ＴＳ信号と第４ＴＳ信号との２系統に分配して出力する受信ステップと、
前記第３ＴＳ信号及び前記第４ＴＳ信号をそれぞれ別系統で復調する復調ステップと、
前記復調ステップにおいて復調された第３ＴＳ信号及び第４ＴＳ信号に含まれるＳＣ信号から前記制御信号を分離する第２の制御信号処理ステップと、
を有する伝送方法。
【発明の詳細な説明】
【技術分野】
【０００１】
本発明の実施形態は、伝送システム及び伝送方法に関する。
【背景技術】
【０００２】
地上デジタル放送で配信される映像信号の伝送ネットワークとして、ＴＳ（Transport Stream）伝送方式のＳＴＬ（Studio to Transmitter Link）装置及びＴＴＬ（Transmitter to Transmitter Link）装置がある。ＳＴＬ装置は放送局から親局送信所までの伝送を行い、ＴＴＬ装置は中継送信所間の伝送を行う。このようなＳＴＬ装置やＴＴＬ装置を用いて構成される映像信号の伝送システムには高い信頼性が要求されるため、送信側及び受信側の両方においてＳＴＬ装置やＴＴＬ装置が二重化されるのが一般的である。このような冗長構成をとることにより、伝送システムの現用系に異常が発生した場合であっても待機系を現用系に切り替えることが可能となり、異常時の放送の断時間を短縮することができる。また、このような伝送システムでは、送信側と受信側との間で必要な制御情報を送受信することにより、系切り替えの際に生じうる放送の不連続を抑制することが可能である。しかしながら、従来の放送システムでは、このような制御情報の送受信には映像信号の伝送帯域とは別の通信回線が必要になり、その導入に多くのコストが必要となっていた。
【先行技術文献】
【特許文献】
【０００３】
【特許文献１】特開昭６２−２７８８３０号公報
【特許文献２】特開平０５−３００３９６号公報
【特許文献３】特開２００４−１６５７５３号公報
【発明の概要】
【発明が解決しようとする課題】
【０００４】
本発明が解決しようとする課題は、放送に関する制御信号を専用の通信回線を用いることなく送受信することができる伝送システム及び伝送方法を提供することである。
【課題を解決するための手段】
【０００５】
実施形態の伝送システムは、送信装置と受信装置とを持つ。送信装置は第１の制御信号処理部、変調部、切替部及び送信部を持つ。第１の制御信号処理部は、第１ＴＳ（Transport Stream）信号と、前記第１ＴＳ信号と同じ信号であって前記第１ＴＳ信号とは別系統で入力される第２ＴＳ信号と、制御信号とを入力し、前記第１ＴＳ信号及び前記第２ＴＳ信号のそれぞれのヘッダ部に含まれる所定の信号を前記制御信号に置き換えて出力する。変調部は、前記制御信号を含む第１ＴＳ信号及び第２ＴＳ信号をそれぞれ別系統で変調する。切替部は、前記変調部によって変調された第１ＴＳ信号及び第２ＴＳ信号のいずれか一方を選択する。送信部は、前記切替部によって選択された第１ＴＳ信号又は第２ＴＳ信号を無線送信する。受信装置は、受信部、復調部及び第２の制御信号処理部を持つ。受信部は、前記送信装置が無線送信したＴＳ信号を受信し、受信した前記ＴＳ信号を第３ＴＳ信号と第４ＴＳ信号との２系統に分配して出力する。復調部は、前記第３ＴＳ信号及び前記第４ＴＳ信号をそれぞれ別系統で復調する。第２の制御信号処理部は、前記復調部によって復調された第３ＴＳ信号及び第４ＴＳ信号のヘッダ部から前記制御信号を取得するとともに、前記第３ＴＳ信号及び前記第４ＴＳ信号に含まれる前記制御信号を前記所定の信号に置き換えて出力する。
【図面の簡単な説明】
【０００６】
【図１】第１の実施形態における伝送システムのシステム構成の具体例を示す図。
【図２】第１の実施形態における送信側制御信号処理部２１１の機能構成の具体例を示す図。
【図３】第１の実施形態において変調器２１２が入出力するＴＳパケットのフォーマットを示す図。
【図４】第１の実施形態の送信装置２０において送信側制御信号処理部２１１がＴＳ信号に制御信号を埋め込む処理の流れを示すフローチャート。
【図５】第１の実施形態における受信側制御信号処理部４３３の機能構成の具体例を示す図。
【図６】第１の実施形態の受信装置４０において受信側制御信号処理部４３３がＴＳ信号から制御信号及びＳＣ信号を取得する処理の流れを示すフローチャート。
【図７】第２の実施形態における送信側制御信号処理部２１１ａの機能構成の具体例を示す図。
【図８】第２の実施形態の送信装置２０において送信側制御信号処理部２１１ａがＴＳ信号に制御信号を埋め込む処理の流れを示すフローチャート。
【図９】第２の実施形態における受信側制御信号処理部４３３ａの機能構成の具体例を示す図。
【図１０】第２の実施形態の受信装置４０において受信側制御信号処理部４３３ａがＴＳ信号から制御信号及びＳＣ信号を取得する処理の流れを示すフローチャート。
【図１１】第３の実施形態における伝送システムのシステム構成の具体例を示す図。
【図１２】第３の実施形態における送信側制御信号処理部２１１ｂの機能構成の具体例を示す図。
【図１３】第３の実施形態の送信装置２０において送信側制御信号処理部２１１ｂがＳＣ信号に制御信号を多重化する処理の流れを示すフローチャート。
【図１４】第３の実施形態における受信側制御信号処理部４３３ｂの機能構成の具体例を示す図。
【図１５】第３の実施形態の受信装置４０において受信側制御信号処理部４３３ｂがＳＣ信号から制御信号を分離する処理の流れを示すフローチャート。
【発明を実施するための形態】
【０００７】
以下、実施形態の伝送システム及び伝送方法を、図面を参照して説明する。
【０００８】
（第１の実施形態）
図１は、第１の実施形態における伝送システムのシステム構成の具体例を示す図である。例えば、図１は、第１の実施形態における伝送システムの一例として、放送局８０と親局送信所９０との間の伝送システム１００を示す。放送局８０は、放送用の映像信号を出力するスタジオ設備１０と、スタジオ設備１０が出力した映像信号を無線送信する送信装置２０と、を備える。親局送信所９０は、送信装置２０が無線送信した映像信号を受信する受信装置４０と、受信装置４０が受信した映像信号を放送波に変換し、放送波を無線送信する送信機５０と、を備える。一般に、このような伝送システム１００における送信装置２０及び受信装置４０による映像信号の伝送回線はＳＴＬ（Studio to Transmitter Link）と呼ばれる。
【０００９】
スタジオ設備１０は、放送用の映像信号であるＴＳ（Transport Stream）信号、ＳＣ（Service Channel）信号及び制御信号を出力する。ＴＳ信号は、第１系統のＴＳ信号（第１ＴＳ信号）及び第２系統のＴＳ信号（第２ＴＳ信号）によって冗長化される。ＳＣ信号は、ＳＴＬ及びＴＴＬ（Transmitter to Transmitter Link）において伝送される制御用の信号である。一方、制御信号は、伝送システム１００における制御用の信号である点ではＳＣ信号と同様であるが、ＳＣ信号が主に機器の制御用に用いられる信号であるのに対して、制御信号は系切り替えの際に生じうる放送の不連続を抑制するために伝送される信号である。
【００１０】
送信装置２０は、スタジオ設備１０から出力されるＴＳ信号、ＳＣ信号及び制御信号を入力し、入力した各信号を変調して無線出力する。具体的には、送信装置２０は、各系統の変調部２１、切替器２２、送信フィルタ２３及び送信アンテナ２４を備える。
【００１１】
各系統の変調部２１は、送信側制御信号処理部２１１、変調器２１２、送信変換器２１３を備える。以下、必要に応じて符号に「−１」又は「−２」を付すことにより、各機能部と各系統との対応を表すことにする。例えば、変調部２１−１は第１系統の変調部２１を表し、変調部２１−２は第２系統の変調部２１を表す。
【００１２】
送信側制御信号処理部２１１は、スタジオ設備１０が出力したＴＳ信号及び制御信号を入力し、信号処理によって制御信号をＴＳ信号に合成する。
変調器２１２は、送信側制御信号処理部２１１によって制御信号が合成されたＴＳ信号と、ＳＣ信号とを多重化し、多重化した信号を変調してＩＦ（Intermediate Frequency）波を生成する。変調方式は、例えば６４ＱＡＭであってもよい。
【００１３】
送信変換器２１３は、生成されたＩＦ波を周波数変換してマイクロ波を生成する。
切替器２２は、第１系統のマイクロ波と、第２系統のマイクロ波とを入力し、どちらか一方を選択して出力する。切替器２２は、図示しない制御部の指示に基づいて、いずれかのマイクロ波を選択する。
切替器２２から出力されたマイクロ波は、送信フィルタ２３を介して送信アンテナ２４から無線出力される。
【００１４】
受信装置４０は、送信装置２０が無線出力したマイクロ波を受信し、受信したマイクロ波を復調することにより、ＴＳ信号、ＳＣ信号及び制御信号を取得する。受信装置４０は、取得した各信号を送信機５０に出力する。具体的には、受信装置４０は、受信アンテナ４１、受信フィルタ４２及び各系統の復調部４３を備える。
【００１５】
受信アンテナ４１は、送信装置２０が送信したマイクロ波を受信する。受信されたマイクロ波は、受信フィルタ４２を介して分配され各系統の復調部４３に入力される。各系統の復調部４３は、受信変換器４３１、復調器４３２、受信側制御信号処理部４３３を備える。受信変換器４３１は、受信フィルタ４２が出力したマイクロ波を周波数変換してＩＦ波に変換する。復調器４３２はＩＦ波を復調し、ＳＣ信号とＴＳ信号とを分離して出力する。受信側制御信号処理部４３３は、復調器４３２によって復調されたＴＳ信号から制御信号を分離して出力する。各系統の復調部４３によって取得されたＴＳ信号は送信機５０に出力される。
【００１６】
送信機５０は、各系統の送信器５１、切替器５２、アンテナ共用装置５３及びアンテナ５４を備える。送信器５１は、受信装置４０が出力したＴＳ信号を放送波に変換して切替器５２に出力する。切替器５２は、第１系統の放送波と、第２系統の放送波とを入力し、どちらか一方を選択して出力する。切替器５２は、図示しない制御部の指示に基づいて、いずれかの放送波を選択する。アンテナ５４は、切替器５２が出力する放送波をアンテナ共用装置５３を介して入力し、入力した放送波を無線出力する。
【００１７】
図２は、第１の実施形態における送信側制御信号処理部２１１の機能構成の具体例を示す図である。送信側制御信号処理部２１１は、パケット編集部２１１１を備える。パケット編集部２１１１は、対応する系統のＴＳ信号と制御信号とを入力し、入力したＴＳ信号の所定位置に制御信号を埋め込む。具体的には、パケット編集部２１１１は、ＴＳ信号を伝送するパケット（以下「ＴＳパケット」という。）のヘッダ部に制御信号を埋め込む。
【００１８】
図３は、第１の実施形態において変調器２１２が入出力するＴＳパケットのフォーマットを示す図である。図３（Ａ）は入力フォーマットを示し、図３（Ｂ）は出力フォーマットを示す。図３に示すように、変調器２１２は、同期信号、ＴＳ信号、基本情報、ＡＣ（Auxiliary Channel）信号、パリティデータが先頭から順に配置されたＴＳパケットを入力し、ＡＣ信号とパリティデータとの間にＳＣ信号を付加したＴＳパケットを出力する。各データ領域に記載した括弧内の数値は当該データ領域のサイズ（バイト）を表す。ここで、先頭１バイト目の同期信号には、ＳＴＬ又はＴＴＬを介したＴＳ信号の伝送プロトコルにおいて規定されているｓｙｎｃ＿ｂｙｔｅの値“０ｘ４７”（１６進数の固定値）が格納される。この値は、伝送プロトコルの規定値であるため、基本的に変更することは推奨されない。しかしながら、同期信号の検出に関して予め所定のルールを定めておけば、そのルールを共有する限られた範囲内においては他の値に置き換えることも可能である。
【００１９】
そこで、本実施形態におけるパケット編集部２１１１は、ＴＳ信号を伝送するＴＳパケットの先頭１バイトを編集し、同期信号の値を、制御信号を示す値に置き換えることで制御信号をＴＳ信号に埋め込む。パケット編集部２１１１は、制御信号を埋め込んだＴＳ信号を変調器２１２に出力する。
【００２０】
図４は、第１の実施形態の送信装置２０において送信側制御信号処理部２１１がＴＳパケットに制御信号を埋め込む処理の流れを示すフローチャートである。まず、送信側制御信号処理部２１１は、対応する系統のＴＳパケットを受信する（ステップＳ１０１）。続いて、送信側制御信号処理部２１１は、受信装置４０に通知すべき制御信号が受信されたか否かを判定する（ステップＳ１０２）。ここで、スタジオ設備１０は、ＴＳパケットを連続的に送信する一方で、受信装置４０に通知すべき情報が発生したタイミングで制御信号を出力するものとする。
【００２１】
制御信号が受信された場合（ステップＳ１０２−ＹＥＳ）、送信側制御信号処理部２１１は、受信された制御信号をＴＳパケットの先頭１バイト目に埋め込む（ステップＳ１０３）。送信側制御信号処理部２１１は、制御信号が埋め込まれたＴＳパケットを出力する（ステップＳ１０４）。一方、ステップＳ１０２において制御信号が受信されていない場合（ステップＳ１０２−ＮＯ）、送信側制御信号処理部２１１は、先頭１バイト目の編集を行うことなくＴＳパケットを出力する。
【００２２】
図５は、第１の実施形態における受信側制御信号処理部４３３の機能構成の具体例を示す図である。受信側制御信号処理部４３３は、信号取得部４３３１及びパケット編集部４３３２を備える。信号取得部４３３１は、対応する系統のＴＳ信号を入力し、入力したＴＳ信号の所定位置から制御信号を取得する。具体的には、信号取得部４３３１は、ＴＳパケットの先頭１バイト目（同期信号領域）に格納されている値を制御信号として取得する。信号取得部４３３１は、取得した制御信号を出力するとともに、ＴＳ信号をパケット編集部４３３２に出力する。
【００２３】
パケット編集部４３３２は、信号取得部４３３１が出力したＴＳ信号を入力する。パケット編集部４３３２は、入力したＴＳ信号を伝送するＴＳパケットを編集し、先頭１バイト目に格納されている制御信号を規定の同期信号（例えば“０ｘ４７”）に置き換える。パケット編集部４３３２は、編集後のＴＳ信号を出力する。
【００２４】
図６は、第１の実施形態の受信装置４０において受信側制御信号処理部４３３がＴＳ信号から制御信号を取得する処理の流れを示すフローチャートである。まず、受信側制御信号処理部４３３は、対応する系統のＴＳパケットを受信する（ステップＳ２０１）。続いて、受信側制御信号処理部４３３は、受信したＴＳパケットの先頭１バイト目が制御信号であるか否かを判定する（ステップＳ２０２）。
【００２５】
ＴＳパケットの先頭１バイト目が制御信号である場合（ステップＳ２０２−ＹＥＳ）、受信側制御信号処理部４３３は、その制御信号を取得する（ステップＳ２０３）とともに、ＴＳパケットの先頭１バイト目を編集し、制御信号の値を同期信号の規定値に置き換える（ステップＳ２０４）。受信側制御信号処理部４３３は、編集後のＴＳパケットを出力する（ステップＳ２０５）。
【００２６】
このように構成された第１の実施形態の送信装置２０は、入力した各系統のＴＳ信号の所定位置に格納されている同期信号を制御信号に置き換えて出力する。このような構成を備えることにより、送信装置２０は、専用の通信回線を用いることなく制御信号を送信することができる。一般に、ＴＳパケットを送受信する装置には、ＴＳパケットの先頭１バイト目に格納される同期信号を検出する回路が備えられているため、先頭１バイト目の同期信号を制御信号に置き換えることで、回路規模が増大することを抑制しつつ制御信号をＴＳパケットに埋め込むことができる。
【００２７】
また、第１の実施形態の受信装置４０は、入力した各系統のＴＳ信号の所定位置から制御信号を取得する。このような構成を備えることにより、受信装置４０は、専用の通信回線を用いることなく制御信号を受信することができる。さらに、第１の実施形態の受信装置４０は、ＴＳ信号に含まれる制御信号を規定の同期信号に置き換えて出力する。このような構成を備えることにより、送信装置２０及び受信装置４０は、他の装置の処理に影響を及ぼすことなく制御信号を送受信することができる。
【００２８】
以下、第１の実施形態の送信装置２０及び受信装置４０の変形例を説明する。第１の実施形態では、送信装置２０がＴＳパケットの先頭１バイト目に制御信号を埋め込む例について説明したが、送信装置２０は受信装置４０において読み替え可能な信号であればＴＳパケットに含まれる同期信号以外の信号を制御信号に置き換えてもよい。この場合、置き換えの対象となる信号を検出する回路が別途必要になる可能性があるため、どの信号を置き換えの対象とするかは許容される回路規模に応じて決定されるとよい。
【００２９】
（第２の実施形態）
第２の実施形態の送信装置２０は、送信側制御信号処理部２１１に代えて送信側制御信号処理部２１１ａを備える点で第１の実施形態の送信装置２０と異なる。また、第２の実施形態の受信装置４０は、受信側制御信号処理部４３３に代えて受信側制御信号処理部４３３ａを備える点で第１の実施形態の受信装置４０と異なる。
【００３０】
図７は、第２の実施形態における送信側制御信号処理部２１１ａの機能構成の具体例を示す図である。送信側制御信号処理部２１１ａ（第１の制御信号処理部の一例）は、スタジオ設備１０から出力されるＴＳ信号に制御信号を埋め込む点では第１の実施形態における送信側制御信号処理部２１１と同様であるが、第１の実施形態における送信側制御信号処理部２１１がＴＳパケットの先頭１バイト目の同期信号を制御信号に置き換えたのに対して、ＴＳパケットのうちのＮｕｌｌパケットに制御信号を埋め込む点で第１の実施形態における送信側制御信号処理部２１１と異なる。
【００３１】
具体的には、送信側制御信号処理部２１１ａは、パケット編集部２１１１に代えてパケット編集部２１１１ａを備える点で第１の実施形態における送信側制御信号処理部２１１と異なる。
【００３２】
パケット編集部２１１１ａは、対応する系統のＴＳパケットを入力し、入力したＴＳパケットがＮｕｌｌパケットであるか否かを判定する。一般に、ＴＳパケットには映像や音声等のデータを含むパケットと、何もデータを含まないパケットとがある。一般に、何もデータを含まないパケットはＮｕｌｌパケットと呼ばれ、伝送ビットレートの調整等のために伝送される。入力したＴＳパケットがＮｕｌｌパケットでない場合、パケット編集部２１１１ａは、入力したＴＳパケットを編集せずに出力する。一方、入力したＴＳパケットがＮｕｌｌパケットである場合、パケット編集部２１１１ａは、ＴＳパケットのペイロード部に制御信号を埋め込む。パケット編集部２１１１ａは、制御信号を埋め込んだＴＳパケットを出力する。
【００３３】
図８は、第２の実施形態の送信装置２０において送信側制御信号処理部２１１ａがＴＳパケットに制御信号を埋め込む処理の流れを示すフローチャートである。まず、送信側制御信号処理部２１１ａは、対応する系統のＴＳパケットを入力し、入力したＴＳパケットからパケットＩＤを取得する（ステップＳ３０１）。パケットＩＤは、ＴＳパケットの所定位置に格納される情報であり、ＴＳパケットの種別を示す情報である。送信側制御信号処理部２１１ａは、取得したパケットＩＤに基づいて、入力したＴＳパケットがＮｕｌｌパケットであるか否かを判定する（ステップＳ３０２）。
【００３４】
具体的には、送信側制御信号処理部２１１ａは、入力したＴＳパケットのパケットＩＤが“０ｘ１ＦＦＦ”であるか否かを判定する。“０ｘ１ＦＦＦ”はＮｕｌｌパケットであることを表すパケットＩＤである。入力したＴＳパケットがＮｕｌｌパケットである場合（ステップＳ３０２−ＹＥＳ）、送信側制御信号処理部２１１ａは、受信装置４０に通知すべき制御信号が受信されたか否かを判定する（ステップＳ３０３）。
【００３５】
制御信号が受信された場合（ステップＳ３０３−ＹＥＳ）、送信側制御信号処理部２１１ａは、入力したＴＳパケットを編集し、受信された制御信号をＮｕｌｌパケットであるＴＳパケットのペイロード部に埋め込む（ステップＳ３０４）。送信側制御信号処理部２１１ａは、制御信号が埋め込まれたＴＳパケットを出力する（ステップＳ３０５）。
【００３６】
一方、ステップＳ３０２において、入力したＴＳパケットがＮｕｌｌパケットでない場合（ステップＳ３０２−ＮＯ）、又はステップＳ３０３において、制御信号が受信されていない場合（ステップＳ３０３−ＮＯ）、送信側制御信号処理部２１１ａは、ペイロード部の編集を行うことなくＴＳパケットを出力する。
【００３７】
図９は、第２の実施形態における受信側制御信号処理部４３３ａの機能構成の具体例を示す図である。受信側制御信号処理部４３３ａ（第２の制御信号処理部の一例）は、信号取得部４３３１及びパケット編集部４３３２に代えて、信号取得部４３３１ａ及びパケット編集部４３３２ａを備える点で第１の実施形態における受信側制御信号処理部４３３と異なる。
【００３８】
信号取得部４３３１ａは、対応する系統のＴＳ信号を入力し、入力したＴＳ信号の所定位置から制御信号を取得する。具体的には、信号取得部４３３１ａは、ＴＳパケットがＮｕｌｌパケットである場合にはペイロード部に格納されている値を制御信号として取得する。信号取得部４３３１ａは、取得した制御信号を出力するとともに、ＴＳ信号をパケット編集部４３３２ａに出力する。
【００３９】
パケット編集部４３３２ａは、信号取得部４３３１ａが出力したＴＳパケットを入力する。パケット編集部４３３２ａは、入力したＴＳパケットがＮｕｌｌパケットである場合、ＴＳパケットを編集し、ペイロード部の全体を規定のＮｕｌｌデータ（例えば“０ｂ１”（２進数の１））で埋める。パケット編集部４３３２ａは、編集後のＴＳ信号を出力する。
【００４０】
図１０は、第２の実施形態の受信装置４０において受信側制御信号処理部４３３ａがＴＳ信号から制御信号を取得する処理の流れを示すフローチャートである。まず、受信側制御信号処理部４３３ａは、対応する系統のＴＳパケットを入力し、入力したＴＳパケットからパケットＩＤを取得する（ステップＳ４０１）。受信側制御信号処理部４３３ａは、取得したパケットＩＤに基づいて、入力したＴＳパケットがＮｕｌｌパケットであるか否かを判定する（ステップＳ４０２）。
【００４１】
入力したＴＳパケットがＮｕｌｌパケットである場合（ステップＳ４０２−ＹＥＳ）、受信側制御信号処理部４３３ａは、Ｎｕｌｌパケットのペイロード部に格納されている信号を取得する（ステップＳ４０３）。受信側制御信号処理部４３３ａは、取得したペイロード部の信号に制御信号が含まれているか否かを判定する（ステップＳ４０４）。
【００４２】
ペイロード部の信号に制御信号が含まれている場合（ステップＳ４０４−ＹＥＳ）、受信側制御信号処理部４３３ａは、Ｎｕｌｌパケットのペイロード部の信号から制御信号を取得する（ステップＳ４０５）とともに、ペイロード部を編集し、ペイロード部を規定のＮｕｌｌデータで埋める（ステップＳ４０６）。受信側制御信号処理部４３３ａは、ペイロード部に規定のＮｕｌｌデータが埋め込まれたＴＳパケットを出力する（ステップＳ４０７）。
【００４３】
一方、ステップＳ４０２において、入力したＴＳパケットがＮｕｌｌパケットでない場合（ステップＳ４０２−ＮＯ）、又はステップＳ４０４において、ペイロード部の信号に制御信号が含まれていない場合（ステップＳ４０４−ＮＯ）、受信側制御信号処理部４３３ａは、ペイロード部の編集を行うことなくＴＳパケットを出力する。
【００４４】
このように構成された第２の実施形態の送信装置２０は、入力した各系統のＴＳ信号がＮｕｌｌパケットである場合、Ｎｕｌｌパケットのペイロード部に制御信号を埋め込んで出力する。また、受信装置４０は、入力したＴＳ信号がＮｕｌｌパケットである場合、Ｎｕｌｌパケットのペイロード部から制御信号を取得する。このような構成を備えることにより、第２の実施形態の送信装置２０及び受信装置４０は、他の装置の処理に影響を及ぼすことなく制御信号を送受信することができる。
【００４５】
また、第２の実施形態の送信装置２０はＮｕｌｌパケットのペイロード部に制御信号を埋め込むため、実際の放送に用いられる映像や音声等のデータを編集する必要がない。そのため、第２の実施形態の送信装置２０によれば、より安全に制御信号を伝送することができる。また、一般に、ＮｕｌｌパケットはＴＳ信号中に所定以上の頻度で挿入される。そのため、Ｎｕｌｌパケットに制御信号を埋め込むことで、より適切なタイミングで制御信号を伝送することができる。
【００４６】
（第３の実施形態）
図１１は、第３の実施形態における伝送システムのシステム構成の具体例を示す図である。第３の実施形態の送信装置２０は、送信側制御信号処理部２１１に代えて送信側制御信号処理部２１１ｂを備える点で第１の実施形態の送信装置２０と異なる。また、第３の実施形態の受信装置４０は、受信側制御信号処理部４３３に代えて受信側制御信号処理部４３３ｂを備える点で第１の実施形態の受信装置４０と異なる。
【００４７】
送信側制御信号処理部２１１ｂ（第１の制御信号処理部の一例）は、スタジオ設備１０から出力されるＳＣ信号及び制御信号を入力し、入力したＳＣ信号に制御信号を多重化して出力する。これに対して、受信側制御信号処理部４３３ｂは、入力したＳＣ信号から制御信号を分離する。
【００４８】
図１２は、第３の実施形態における送信側制御信号処理部２１１ｂの機能構成の具体例を示す図である。送信側制御信号処理部２１１ｂは、信号監視部２１１２及び信号多重部２１１３を備える。信号監視部２１１２は、スタジオ設備１０から出力されるＳＣ信号を入力するとともに、ＳＣ信号の入力帯域（以下「ＳＣ帯域」という。）の空き帯域を検出する。信号監視部２１１２は、空き帯域を検出したタイミングで、その旨を示す第１の通知信号を信号多重部２１１３に出力する。例えば、ＳＣ信号の入力帯域は１２８ｋｂｐｓであり、伝送方式は調歩同期方式である。調歩同期方式では、送信データが無い（無情報）時にはストップビットが連続して送信され、データ送信時には先行するスタートビットに続けて送信データが送信される。この送信データは、本実施形態においてスタジオ設備１０が出力するＳＣ信号に相当する。
【００４９】
すなわち本実施形態では、スタジオ設備１０は送信すべきＳＣ信号が発生した場合にＳＣ信号（スタートビットを含む）を出力し、送信すべきＳＣ信号が無い場合にはストップビットを連続して出力する。以下では、受信側（すなわち送信装置２０）においてＳＣ帯域を介して常時受信される信号をＳＣ信号と呼び、スタジオ設備１０が出力するＳＣ信号を実ＳＣ信号（実データ）と呼ぶことで両者を区別することにする。ＳＣ信号は、ＴＳ信号及び制御信号とは別系統で入力される。例えば、実ＳＣ信号は、スタートビット（１ｂｉｔ）、データ（７ｂｉｔ）、偶数パリティ（１ｂｉｔ）、ストップビット（１ｂｉｔ）が順に並んだ計１０ｂｉｔで構成される。
【００５０】
信号監視部２１１２は、入力されるＳＣ信号においてストップビットが連続している場合に第１の通知信号を信号多重部２１１３に出力し、ストップビットが途切れた場合（すなわち実ＳＣ信号である場合）には第１の通知信号を出力しない。
【００５１】
信号多重部２１１３は、ＳＣ信号、制御信号及び第１の通知信号を入力する。信号多重部２１１３は、第１の通知信号に基づいてＳＣ信号に制御信号を多重化する。具体的には、信号多重部２１１３は、第１の通知信号に基づいて実ＳＣ信号の受信の有無を判定し、実ＳＣ信号が受信されていないタイミングで制御信号をＳＣ信号に多重化する。この場合、信号多重部２１１３は、ＳＣ信号に制御信号が多重化されていることを何等かの手段で受信側に通知する必要がある。ＳＣ信号に制御信号が多重化されていることを通知する第２の通知信号として、例えば、信号多重部２１１３は、ＳＣ信号に制御信号を多重化する際にはパリティビットを反転して出力するように構成されてもよい。信号多重部２１１３は、制御信号を多重化したＳＣ信号を出力する。信号多重部２１１３が出力したＳＣ信号は各系統の変調器２１２に入力され、各変調器２１２によってＴＳ信号に多重化される。
【００５２】
図１３は、第３の実施形態の送信装置２０において送信側制御信号処理部２１１ｂがＳＣ信号に制御信号を多重化する処理の流れを示すフローチャートである。まず、送信側制御信号処理部２１１ｂがＳＣ帯域の監視を開始する（ステップＳ５０１）。送信側制御信号処理部２１１ｂは、ＳＣ帯域の監視中に、スタジオ設備１０から実ＳＣ信号が受信されたか否かを判定する（ステップＳ５０２）。具体的には、送信側制御信号処理部２１１ｂは、ＳＣ帯域を介して入力されるＳＣ信号においてストップビットが連続しているか否かを判定することによって実ＳＣ信号の受信有無を判定する。
【００５３】
実ＳＣ信号が受信されていない場合（ステップＳ５０２−ＮＯ）、送信側制御信号処理部２１１ｂは、制御信号が受信されたか否かを判定する（ステップＳ５０３）。制御信号が受信された場合（ステップＳ５０３−ＹＥＳ）、送信側制御信号処理部２１１ｂは、ＳＣ帯域の空き帯域に制御信号を多重化して出力する（ステップＳ５０４）。このとき、例えば送信側制御信号処理部２１１ｂは、ＳＣ信号に制御信号が多重化されていることを通知する第２の通知信号とともに制御信号をＳＣ信号に多重化する。
【００５４】
一方、実ＳＣ信号が受信された場合（ステップＳ５０２−ＹＥＳ）、又は制御信号が受信されていない場合（ステップＳ５０３−ＮＯ）、送信側制御信号処理部２１１ｂは受信されたＳＣ信号をそのまま出力する（ステップＳ５０５）。以上の処理により、制御信号がスタジオ設備１０から実ＳＣ信号が受信されていないタイミングにおいてＳＣ信号として出力される。
【００５５】
図１４は、第３の実施形態における受信側制御信号処理部４３３ｂの機能構成の具体例を示す図である。受信側制御信号処理部４３３ｂ（第２の制御信号処理部の一例）は、信号取得部４３３１及びパケット編集部４３３２に代えて信号解析部４３３３及び信号分離部４３３４を備える点で第１の実施形態における受信側制御信号処理部４３３と異なる。信号解析部４３３３は、復調器４３２から対応する系統のＳＣ信号を入力するとともに、入力したＳＣ信号に含まれる制御信号を検出する。具体的には、信号解析部４３３３は、入力したＳＣ信号から、スタートビットと、それに続く第２の通知信号とを検出することによりＳＣ信号に制御信号が含まれているか否かを判定する。信号解析部４３３３は、第２の通知信号を検出してから制御信号の受信を完了するまでの期間では第３の通知信号を信号分離部４３３４に出力し、それ以外のタイミングでは第３の通知信号を出力しない。
【００５６】
信号分離部４３３４は、ＳＣ信号及び第３の通知信号を入力する。信号分離部４３３４は、第３の通知信号に基づいてＳＣ信号から制御信号を分離する。具体的には、信号分離部４３３４は、信号解析部４３３３から第３の通知信号が出力されているタイミングで入力したＳＣ信号を制御情報として出力し、第３の通知信号が出力されていないタイミングで入力したＳＣ信号を実ＳＣ信号として出力する。
【００５７】
図１５は、第３の実施形態の受信装置４０において受信側制御信号処理部４３３ｂがＳＣ信号から制御信号を分離する処理の流れを示すフローチャートである。まず、受信側制御信号処理部４３３ｂは、入力したＳＣ信号を解析し（ステップＳ６０１）、入力したＳＣ信号がスタートビットであるか否かを判定する（ステップＳ６０２）。入力したＳＣ信号がスタートビットである場合（ステップＳ６０２−ＹＥＳ）、受信側制御信号処理部４３３ｂは、入力したＳＣ信号に制御信号が多重化されているか否かを判定する（ステップＳ６０３）。
【００５８】
例えば、送信装置２０が制御信号をＳＣ信号に多重化する際にパリティビットを反転させる場合、受信側制御信号処理部４３３ｂは、入力したＳＣ信号に制御信号が多重化されていることを、ＳＣ信号のパリティエラーとして検出することができる。入力したＳＣ信号に制御信号が多重化されていると判定した場合（ステップＳ６０３−ＹＥＳ）、受信側制御信号処理部４３３ｂは、入力したＳＣ信号を制御信号として出力する（ステップＳ６０４）。
【００５９】
一方、ステップＳ６０３において、入力したＳＣ信号に制御信号が多重化されていないと判定した場合（ステップＳ６０３−ＮＯ）、受信側制御信号処理部４３３ｂは、入力したＳＣ信号を実ＳＣ信号として出力する（ステップＳ６０５）。
【００６０】
また、ステップＳ６０２において、入力したＳＣ信号がスタートビットでない場合（ステップＳ６０２−ＮＯ）、受信側制御信号処理部４３３ｂは、スタートビットが検出されるまでＳＣ信号の入力と、ステップＳ６０２の判定処理とを繰り返し実行する。以上の処理により、受信装置４０において、ＳＣ信号から制御信号が分離される。なお、ＳＣ信号から実ＳＣ信号を分離する処理は、従来のＳＣ信号の通信処理として受信側制御信号処理部４３３ｂ以外の機能部において実行されてもよい。
【００６１】
このように構成された第３の実施形態の送信装置２０は、制御信号をＳＣ信号に多重化して送信する。また、受信装置４０は、受信したＳＣ信号から制御情報を分離する。このような構成を備えることにより、送信装置２０及び受信装置４０は、専用の通信回線を用いることなく制御信号を送受信することができる。
【００６２】
以上説明した少なくともひとつの実施形態によれば、制御信号を、第１系統のＴＳ信号及び第２系統のＴＳ信号の一部、又はＳＣ信号の一部に埋め込んで送信する送信装置と、受信されたＴＳ信号又はＳＣ信号から制御信号を取得する受信装置と、を持つことにより、放送に関する制御信号を専用の通信回線を用いることなく送受信することができる。
【００６３】
なお、上記の各実施形態では、制御信号は系切り替えの際に生じうる放送の不連続を抑制するために伝送される信号であると説明したが、制御信号は、必ずしも系切り替えに関する情報を通知するものでなくてもよい。例えば、制御信号は、システムの計画停止を通知する信号であってもよい。このような制御信号が伝達されることにより、送信側と受信側とが連携してより安全にシステムのメンテナンスを行うことが可能になる。
【００６４】
また、例えば、制御信号は放送休止を通知する信号であってもよい。一般に、信号の受信側では、信号が受信されない場合に、それが放送休止によるものかサービス中に生じた異常によるものかを判断することが難しい。また、仮に信号が受信されないことが放送休止によるものであったとしても、放送事業者としてはその状態を異常状態と判定したくない場合もある。このような場合、放送休止を通知する制御信号が受信側に送信されれば、受信側では、信号が受信されない場合であっても、その状態が異常であるか否かを適切に判断することが可能になる。このように、制御信号は、放送に関するシステムの運用に寄与するものであればどのような情報の通知に用いられてよい。
【００６５】
また、上述した実施形態における送信装置及び受信装置の一部又は全部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００６６】
上記の各実施形態における送信フィルタ２３及び送信アンテナ２４は送信部の一例である。また、受信アンテナ４１及び受信フィルタ４２は受信部の一例である。また、受信フィルタ４２が出力する第１系統のＴＳ信号は第３ＴＳ信号の一例であり、受信フィルタ４２が出力する第２系統のＴＳ信号は第４ＴＳ信号の一例である。また、切替器２２は、切替部の一例である。
【００６７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６８】
１００…伝送システム、１０…スタジオ設備、２０…送信装置、２１…変調部、２１１，２１１ａ，２１１ｂ…送信側制御信号処理部、２１１１，２１１１ａ…パケット編集部、２１１２…信号監視部、２１１３…信号多重部、２１２…変調器、２１３…送信変換器、２２…切替器、２３…送信フィルタ、２４…送信アンテナ、４０…受信装置、４１…受信アンテナ、４２…受信フィルタ、４３…復調部、４３１…受信変換器、４３２…復調器、４３３，４３３ａ，４３３ｂ…受信側制御信号処理部、４３３１，４３３１ａ…信号取得部、４３３２，４３３２ａ…パケット編集部、４３３３…信号解析部、４３３４…信号分離部、５０…送信機、５１…送信器、５２…切替器、５３…アンテナ共用装置、５４…アンテナ、８０…放送局、９０…親局送信所
【図１】
2020077935.tif 000003
【図２】
2020077935.tif 000004
【図３】
2020077935.tif 000005
【図４】
2020077935.tif 000006
【図５】
2020077935.tif 000007
【図６】
2020077935.tif 000008
【図７】
2020077935.tif 000009
【図８】
2020077935.tif 000010
【図９】
2020077935.tif 000011
【図１０】
2020077935.tif 000012
【図１１】
2020077935.tif 000013
【図１２】
2020077935.tif 000014
【図１３】
2020077935.tif 000015
【図１４】
2020077935.tif 000016
【図１５】
2020077935.tif 000017